(57)【要約】【課題】  ファクシミリ装置において、まちがったデータを送信などした際にも送信側からの指定で、受信側のファクシミリ装置にある受信データを削除する場合に、受信側でデータ受信時に即時の印字出力が行われると、削除前に受信側でデータが見られてしまう。【解決手段】  ファクシミリデータの送信時に削除許容時間を指定して送信し、受け取った受信側ファクシミリ装置は、削除許容時間の間は印字出力を行わずにデータを保持し、削除許容時間内に再度の通信により削除要求が送信側から送られてきた場合は、ファクシミリデータを削除する。  削除許容時間内に削除要求が無ければ、通常の印字出力を行う。【選択図】図６
2008109410.tif 000002
【特許請求の範囲】
【請求項１】
ファクシミリ装置からファクシミリデータを送信する際に、受信側のファクシミリ装置でファクシミリデータを即時印刷せずに、所定の時間保持するように指定を行い、
前記所定の時間内に送信側のファクシミリ装置から送信済みのファクシミリデータの削除要求を行うと、受信側のファクシミリ装置で該ファクシミリデータの削除を行う、
ことを特徴とするファクシミリ通信方法。
【請求項２】
ファクシミリデータの送信の際に、前記ファクシミリデータの削除許容時間を指定する送信側の削除許容時間指定手段と、
送信側から送信されて受信したファクシミリデータの削除を受信側へ要求する送信側の削除要求手段と、
ファクシミリデータの受信の際に、指定された削除許容時間の間は印字出力を行わず、前記受信したファクシミリデータを一旦保持する受信側の削除許容時間データ保持手段と、
前記削除要求に基づき前記受信したファクシミリデータを削除する受信側の削除手段と、を有する
ことを特徴とするファクシミリ装置。
【請求項３】
請求項２のファクシミリ装置であって、
前記削除要求手段は、前記ファクシミリデータを送信した送信先に再度通信を行って削除を要求する
ことを特徴とするファクシミリ装置。
【請求項４】
請求項２または３のファクシミリ装置であって、
前記削除要求手段及び前記削除許容時間指定手段は、ファクシミリ通信の非標準機能設定信号（ＮＳＳ）を用いて削除要求及び削除許容時間の指定を行う、
ことを特徴とするファクシミリ装置。
【請求項５】
請求項２から４のいずれかのファクシミリ装置であって、
前記ファクシミリデータの送信の際には、前記ファクシミリデータを文書ＩＤにより管理し、前記ファクシミリデータの送信とともに前記文書ＩＤの送信を行い、
前記ファクシミリデータの受信の際には、前記ファクシミリデータと前記文書ＩＤを関連付けて管理する
ことを特徴とするファクシミリ装置。
【請求項６】
請求項５のファクシミリ装置であって、
前記削除要求手段及び削除手段は、前記文書ＩＤにより、削除要求及び削除するファクシミリデータを指定する
ことを特徴とするファクシミリ装置。
【請求項７】
請求項２から６のいずれかのファクシミリ装置であって、
前記削除要求手段は、削除要求可能な相手先との通信履歴に削除可能であることを表示する
ことを特徴とするファクシミリ装置。
【請求項８】
請求項２から７のいずれかのファクシミリ装置であって、
前記削除要求手段は、削除要求可能な相手先との通信履歴を前記削除許容時間内の間は削除ボタンを表示し、前記削除許容時間が過ぎた後は前記削除ボタンを非表示とする
ことを特徴とするファクシミリ装置。
【発明の詳細な説明】
【技術分野】
【０００１】
ファクシミリ装置において、送信済みのファクシミリデータを削除する技術に関し、削除要求が間に合わない場合が無い様に、送信側の指定により受信側で印字を指定の時間待機させるファクシミリ通信方法およびファクシミリ装置。
【背景技術】
【０００２】
ファクシミリ装置においては、一度送信を実行してしまうと、その後宛先や原稿の間違いに気づいたとしても、相手に届いてしまっているので、例えば相手に電話をかけて画像を削除してもらう必要がある。
【０００３】
従来技術として、ファクシミリデータを送信して、受信先からの受領確認を得た後、送信データを消去する方法があった（特許文献１参照）。
【０００４】
しかし、この方法で消去可能なのは送信側のファクシミリデータであって、受信側のものではない。
【０００５】
そこで、ファクシミリデータ送信後に、送信データを削除要求する方法が考えられるが、通常ファクシミリデータを受信した場合には、即時の印字出力をするのが一般的であるので、ファクシミリデータの送信後に削除要求をしても間に合わない可能性があった。
【０００６】
【特許文献１】特開２００１−１６９０６６号公報
【発明の開示】
【発明が解決しようとする課題】
【０００７】
解決しようとする問題点は、送信済みのファクシミリデータを送信側からの要求により削除しようとする場合に、すでに受信側で印字出力が終了してしまって、削除要求が間に合わない点である。
【課題を解決するための手段】
【０００８】
本発明のファクシミリ通信方法は、ファクシミリ装置からファクシミリデータを送信する際に、受信側のファクシミリ装置でファクシミリデータを即時印刷せずに所定の時間保持するように指定を行い、前記所定の時間内に送信側のファクシミリ装置から送信済みのファクシミリデータの削除要求を行うと、受信側のファクシミリ装置で該ファクシミリデータの削除を行うことを特徴とする。
【０００９】
本発明のファクシミリ装置は、ファクシミリデータの送信の際に、前記ファクシミリデータの削除許容時間を指定する送信側の削除許容時間指定手段と送信側から送信されて受信したファクシミリデータの削除を受信側へ要求する送信側の削除要求手段とファクシミリデータの受信の際に、指定された削除許容時間の間は印字出力を行わず、前記受信したファクシミリデータを一旦保持する受信側の削除許容時間データ保持手段と前記削除要求に基づき前記受信したファクシミリデータを削除する受信側の削除手段とを有することを最も主要な特徴とする。
【発明の効果】
【００１０】
本発明のファクシミリ通信方法は、ファクシミリ装置からファクシミリデータを送信する際に、受信側のファクシミリ装置でファクシミリデータを即時印刷せずに所定の時間保持するように指定を行い、前記所定の時間内に送信側のファクシミリ装置から送信済みのファクシミリデータの削除要求を行うと、受信側のファクシミリ装置で該ファクシミリデータの削除を行うことを特徴とするため、削除要求をした時には、すでに受信側で印字出力を終えてしまって削除要求が間に合わなかったということを抑制することが可能となった。
【００１１】
本発明のファクシミリ装置は、ファクシミリデータの送信の際に、前記ファクシミリデータの削除許容時間を指定する送信側の削除許容時間指定手段と送信側から送信されて受信したファクシミリデータの削除を受信側へ要求する送信側の削除要求手段とファクシミリデータの受信の際に、指定された削除許容時間の間は印字出力を行わず、前記受信したファクシミリデータを一旦保持する受信側の削除許容時間データ保持手段と前記削除要求に基づき前記受信したファクシミリデータを削除する受信側の削除手段とを有することを最も主要な特徴とするため、削除要求をした時には、すでに受信側で印字出力を終えてしまって削除要求が間に合わなかったということを抑制することが可能となった。
【発明を実施するための最良の形態】
【００１２】
送信済みのファクシミリデータを送信側からの要求により削除する際に、すでに受信側で印字出力を終えてしまっているので削除要求が間に合わないという問題点を送信側のファクシミリ装置がファクシミリデータの送信時に非標準機能設定信号（ＮＳＳ）により印字出力を即時に行わずに指定された時間待機するよう指定する方法により実現した。
【実施例１】
【００１３】
［構成］
図１は、実施例に係るファクシミリ装置の概略構成を示している。
【００１４】
ファクシミリ装置は、マイクロコンピュータ等から構成される主制御部１１によって制御される。この主制御部１１に接続される入出力機器として、ファクシミリ装置は、原稿画像を読み取る読取部１３、受信画像等を記録紙に記録する記録部１５、ワンタッチダイヤル、短縮ダイヤルを含むダイヤル入力操作を行うための操作部１７、プログラム、データ、画情報などの各種情報が記憶される記憶部１９、プログラマブルトーン送出及び検出機能を有するモデム２１、並びに回路網の制御を行う網制御部（ＮＣＵ）２３を備えている。
【００１５】
主制御部１１は、削除要求手段を備えており、送信済みのファクシミリデータについて、ユーザから該ファクシミリデータの削除の要求があった際には、再度送信先のファクシミリ装置に通信を行い、非標準機能設定信号（ＮＳＳ）（詳細後述）を用いて該ファクシミリデータの削除を要求する。
【００１６】
また、主制御部は、削除手段を備えており、ファクシミリデータを受信後に該データの送信元からの通信により削除要求を受信した際には、該ファクシミリデータを確認して、該ファクシミリデータが保存されていた場合には、削除を行う。
【００１７】
また、主制御部は、削除許容時間指定手段を備えており、ファクシミリデータの送信時に非標準機能設定信号（ＮＳＳ）（詳細後述）を用いて、削除許容時間を指定する。
【００１８】
また、主制御部は、削除許容時間データ保持手段を備えており、受信側として働く際には、送信側から指定された削除許容時間の間受信したファクシミリデータを印字することなく、データを保持する。許容時間が過ぎた後、ファクシミリデータを印字出力する。
【００１９】
［フローチャート］
図２から図５のフローチャートを用いて動作の流れについて説明する。
【００２０】
まず送信時のファクシミリ装置の処理の流れについて図２のフローチャートを用いて説明する。
【００２１】
Ｓ１１：ファクシミリ装置の読取部に原稿をセットする。
【００２２】
Ｓ１３：宛先を入力する。
【００２３】
Ｓ１５：削除許容時間を設定したいかどうかを判断する。削除許容時間を設定する場合は、動作をＳ１７に移行する。しない場合は動作をＳ１９に移行する。
【００２４】
Ｓ１７：削除許容時間を設定する。
【００２５】
Ｓ１９：データの送信を開始する。
【００２６】
Ｓ２１：相手先（受信側）装置が本発明による機能を備えた装置かどうかを確認する。本発明による機能を備えていればＳ２３に動作を移行する。
【００２７】
備えていなければ、引き続き通常の方法によりＳ２７にてデータの送信を行い、動作を終了する。その場合は、削除許容時間の設定はできない。
【００２８】
Ｓ２３：Ｓ１５，Ｓ１７による流れで削除許容時間が設定してあるかどうかを判断する。設定済みの場合は動作をＳ２５に移行する。設定していなければ、Ｓ２７に動作を移行する。
【００２９】
Ｓ２５：図６（Ａ）の説明のところで後述する非標準機能設定信号（ＮＳＳ）に続くデータの設定により、削除許容時間を相手側（受信先）に通知する。
【００３０】
削除許容時間は、例えば５分というような時間に設定してもよいし、２４時間などの長時間の設定もユーザの選択により自由であり、その用途に応じた設定が可能である。
【００３１】
Ｓ２７：画像データを送信する。
【００３２】
以上により、一連の送信側の動作を終了する。
【００３３】
次に、受信側のファクシミリ装置の処理の流れについて図３のフローチャートを用いて説明する。
【００３４】
Ｓ３１：ファクシミリ通信を着信する。
【００３５】
Ｓ３３：行われている通信が本発明による機能を備えた装置間の通信であるかどうかを判断する。備えていれば動作をＳ３５に移行する。備えていなければ動作をＳ４７に移行する。
【００３６】
Ｓ３５：図６（Ａ）に示される非標準機能設定信号（ＮＳＳ）に引き続くデータを解読し、削除許容時間の設定についての解読を行う。
【００３７】
Ｓ３７：削除許容時間の指定があるかどうかを判断する。指定がある場合は動作をＳ３９に移行する。指定が無い場合は動作をＳ４３に移行する。
【００３８】
Ｓ３９：引き続きファクシミリの画像データを受信する。
【００３９】
Ｓ４１：指定された削除許容時間の間待機する。指定された待機時間の間削除要求が無ければファクシミリデータの印字を行う。削除許容時間内に送信側から削除要求のあった場合には、指定のファクシミリデータを受信側装置から削除して(Ｓ７３のところで後述)、印字出力を行わない。
【００４０】
Ｓ４３：Ｓ３７で削除許容時間の指定が無かった場合は、Ｓ４３で引き続き画像データを受信する。
【００４１】
Ｓ４５：待機することなく即時にファクシミリデータの印字（記録出力）を行う。
【００４２】
Ｓ４７：Ｓ３３で、本発明の機能を備えていない装置との間の通信である場合は、引き続き画像データの受信をする。
【００４３】
Ｓ４９：待機することなく即時にファクシミリデータの印字（記録出力）を行う。
【００４４】
次に図４のフローチャートを用いて送信側からの削除要求についての流れを説明する。
【００４５】
Ｓ５１：送信した画像データを削除したいかどうかを判断する。削除したければ、動作をＳ５３に移行する。したくなければ動作を終了する。
【００４６】
Ｓ５３：送信した際に設定した削除許容時間内であるかどうかを判断する。時間内であれば、動作をＳ５５に移行する。時間外であれば、もう削除できないので動作を終了する。
【００４７】
Ｓ５５：送信側のファクシミリ装置の操作部に通信履歴を表示して、その中から削除したい通信を選択する。通信履歴中には、まだ削除可能であるかどうかを示す表示がされており、削除可能な文書に関しては、削除ボタンがついている。
【００４８】
Ｓ５７：前ステップで表示されている、削除ボタンを押下して削除ジョブを実行する。送信局は、受信局に対して通信を行って、削除要求を行う。
【００４９】
次に図５のフローチャートを用いて受信側での削除要求されたデータの削除についての流れを説明する。
【００５０】
Ｓ６１：ファクシミリの着信を行う。
【００５１】
Ｓ６３：相手先（送信側）装置が本発明による機能を備えた装置かどうかを確認する。本発明による機能を備えていればＳ６５に動作を移行する。また、従来装置からの画像データ送信の場合は、データを受信して印字出力を行い動作を終了する。
【００５２】
Ｓ６５：非標準信号を解読し、削除要求された文書ＩＤを取り出す。
【００５３】
Ｓ６７：前ステップで解読した内容が、削除要求により文書ＩＤが指定されたかどうかを判断する。削除要求で文書ＩＤが指定されたなら、動作をＳ６９に移行する。そうでなければ通信を終了して動作を終了する。
【００５４】
Ｓ６９：文書ＩＤにより指定されたファクシミリデータをファクシミリ装置の記憶部から検索する。
【００５５】
Ｓ７１：指定データがあるかどうかを判断する。指定のファクシミリデータが有った場合には動作をＳ７３に移行する。無ければ通信を終了して動作を終了する。
【００５６】
Ｓ７３：指定のファクシミリデータを削除する。
【００５７】
以上の一連の動作により、受信側での削除要求のあったファクシミリデータの削除の一連の動作を終了する。
【００５８】
［送受信シーケンス］
図６は、２つのファクシミリ装置（本発明実施例において、送信側のファクシミリ装置を送信局と言い、受信側のファクシミリ装置を受信局と言う場合がある。）間において、信号のやりとりを行う際の手順を示す。
【００５９】
まず図６（Ａ）により、ファクシミリデータの送信時の通信について説明する。
【００６０】
図６（Ａ）左側は、本発明による機能を持った装置同士の通信の例である。
【００６１】
送信局から受信局にコーリングトーン（ＣＮＧ）を送出する。
【００６２】
受信局は、コーリングトーン（ＣＮＧ）を検知すると、受信局識別信号（ＣＥＤ）を送出して、引き続き非標準機能識別信号（ＮＳＦ）、並びにデジタル識別信号（ＤＩＳ）を送出する。
【００６３】
送信局は、上記の非標準機能識別信号（ＮＳＦ）信号を受信すると、本発明による装置間の通信であると認識して、非標準機能設定信号（ＮＳＳ）を送信し、引き続いて文書ＩＤ及び削除許容時間の指定を送信する。
【００６４】
受信局は、送信局から送られてきた文書ＩＤを、その後受信するファクシミリデータと関連付けて管理する。また、指定の削除許容時間の間は、印字出力を行わずにファクシミリデータを保持する。
【００６５】
次に、図６（Ａ）右側を用いて、送信側は本発明によるファクシミリ装置であるが、受信側が従来のファクシミリ装置である場合について説明する。
【００６６】
送信局から受信局にコーリングトーン（ＣＮＧ）を送出する。
【００６７】
受信局は、コーリングトーン（ＣＮＧ）を検知すると、受信局識別信号（ＣＥＤ）を送出して、引き続きデジタル識別信号（ＤＩＳ）を送出する。
【００６８】
送信局は、非標準機能識別信号（ＮＳＦ）を受信できなかったので、受信局が従来装置と認識し、デジタル識別信号（ＤＩＳ）に対しデジタル命令信号（ＤＣＳ）を送信する。この場合は、削除許容時間の指定はできない。
【００６９】
次に、図６（Ｂ）により、受信局に保存されているファクシミリデータを送信局側から削除する場合について説明する。
【００７０】
送信局は、送信履歴等から削除したい通信（ファクシミリデータ）をパネルから選択し、実行ボタンを押す。その後のやり取りは、ＮＳＳまでは、図２（Ａ）左図において説明したものと同じである。
【００７１】
指定されたファクシミリデータがいまだ削除許容時間内であれば、受信局は、ファクシミリデータの削除が可能である。
【００７２】
非標準機能設定信号（ＮＳＳ）に続いて削除要求であること及びその削除したいファクシミリデータの文書ＩＤを送信する。
【００７３】
受信局は、送信局から指定された文書ＩＤに関連付けられた文書が見つかった場合、画像データを削除してメッセージ確認信号（ＭＣＦ）を返す（図６（Ｂ）左図）。文書が見つからなかった場合は、画像が既に削除されていたことを意味する切断命令信号（ＤＣＮ）を返す（図６（Ｂ）右図）。
【００７４】
［実施例の効果］
本実施例のファクシミリ装置により、送信済みのファクシミリデータを送信側からの再度の通信による要求により削除することが可能となった。
【００７５】
また、本実施例により、ファクシミリデータの送信時にあらかじめ削除許容時間を指定されているので、受信側は即時の印字出力を行わず、削除許容時間の間待機するため送信側で誤ったデータを送信してしまったことが送信後に気づいた際にも、すでに印字出力が終わってしまい間に合わないということを防げるようになった。
【００７６】
削除許容時間が過ぎて、送信側から削除要求が無い場合は、通常の印字出力が行われることとなる。
【図面の簡単な説明】
【００７７】
【図１】ファクシミリ装置の機能ブロック図である（実施例１）。
【図２】送信側のデータ送信時のフローチャートである（実施例１）。
【図３】受信側のデータ受信時のフローチャートである（実施例１）。
【図４】送信側の削除要求時のフローチャートである（実施例１）。
【図５】受信側の削除要求受信時のフローチャートである（実施例１）。
【図６】送受信時のシーケンス図である（実施例１）。
【符号の説明】
【００７８】
１１  主制御部（削除許容時間指定手段、削除要求手段、削除許容時間データ保持手段、削除手段）
【図１】
2008109410.tif 000003
【図２】
2008109410.tif 000004
【図３】
2008109410.tif 000005
【図４】
2008109410.tif 000006
【図５】
2008109410.tif 000007
【図６】
2008109410.tif 000008